(57)【要約】【課題】  アンバランスの要因であるシャフト外周上の平面部に対し、予めアンバランスを修正することによりバランスの測定や修正の作業を不要とし、コストダウンや作業効率向上の提供を目的とする。【解決手段】  シャフト４の外周上に回転子アンバランス修正手段を施すことによって、アンバランスの要因であるシャフト外局上の平面部に対し予めアンバランスを修正するものである。具体的には、ファンを取り付けるために外周の一部を平面状に切削加工された略平面部１０１をもつシャフト４の外周上に、切削加工により削除された部分と略同質量となるように略軸対称に切削加工を施すものである。【選択図】  図１
2006271107.tif 000002
【特許請求の範囲】
【請求項１】
回転子コアと、前記回転子コア外周面に固着または一体に成型される環状の
永久磁石もしくは複数の弧状の永久磁石片と、ファンを取り付けるために外周の一部を平
面状に切削加工された略平面部をもつシャフトからなる回転子において、前記シャフトの
外周上に切削加工により削除された部分と略同質量となるように略軸対称に切削加工を施
した回転子アンバランス修正手段を有することを特徴とする回転子。
【請求項２】
前記回転子アンバランス修正手段を切削加工により削除された部分と略同重
量の回転子アンバランス修正片とし、前記シャフト外周上の略同一側に取り付けることを
特徴とする請求項１に記載の回転子。
【請求項３】
前記回転子アンバランス修正片がＥリングまたはＣリングであることを特徴とする請求項２に記載の回転子。
【請求項４】
請求項１から請求項３の一部または全てを備えることを特徴とする回転子。
【請求項５】
請求項１から請求項４のいずれか１項に記載の回転子を有するブラシレスモータ。
【請求項６】
前記ブラシレスモークが、複数のスロットを有し前記スロットに３相結線された固定子と、前記固定子に三相全波通電を行う駆動回路と、回転子の位置を検出する位置検出素子と、前記位置検出素子の出力信号を処理する位置検出信号処理回路と、前記位置検出信号処理回路で生成された回転数信号の周波数を変換する回転数信号周波数変換回路と、前記回転数信号周波数変換回路で周波数変換された回転数信号を外部に出力する回転数信号出力回路よりなることを特徴とする請求項５に記載のブラシレスモータ。
【発明の詳細な説明】
【技術分野】
【０００１】
本発明は、低騒音・低振動を実現する回転子およびブラシレスモータに関する。
【背景技術】
【０００２】
近年、ブラシー整流子のないブラシレスモータは、長寿命でメンテナンスフリーであることから広い用途に利用されており、その用途によっては特に低騒音・低振動が強く求められている。
【０００３】
エアコン、空気清浄機、あるいは給湯機等の電気機器または自動車（以下、機器）の送風用ファンに用いられるブラシレスモークにおいてはその傾向が顕著であり、比較的高速で回転することからその回転子のアンバランスにより振動が発生してしまうことがあった。
【０００４】
特にファンを取り付けるためにシャフトの外周の一部を平面状に切削加工された平面部をもつ回転子の場合、その切削された部分の重量分がアンバランスとなり、振動の主要因となっていた。
従って、このアンバランスの修正が必要不可欠となっていたが、従来は静的・動的なバランスを測定したあとにこの測定の結果に基づいて回転子の外局部を切削したり、バランス修正用のウェイトやパテを取り付けたりといった方法を１回ないし複数回行っていた。
【０００５】
この種の回転子としては、例えば、特許文献１に記載されているようなものがあった。
【０００６】
図３は前記特許文献に記載された従来のブラシレスモータの構造断面図、図４は従来の回転子の略断面図を示している。
図３においてブラシレスモークは、回転自在に保持してなるシャフト４と回転子コア３と回転子コア３の外周面に固着された永久磁石５からなる回転子と、図示していない巻線を巻装した固定子１から構成されている。
【０００７】
図４において回転子のアンバランスを修正するために、永久磁石５の内径に沿ってバランス修正用パテ３ｂを貼り付け、乾燥硬化させた後、その上から接着剤を塗布し固着力の向上を図っていた。（例えば、特許文献１参照）
【特許文献１】特開平７−１０７７１３号公報
【発明の開示】
【発明が解決しようとする課題】
【０００８】
しかしながら、前記従来のアンバランスの修正方法では次のような問題があった。
【０００９】
（１）回転子の外周部を切削する方法においては、切削する設備が必要であるとともに切り屑処理や切削加工にコストがかかるという問題があった。
また、切削しすぎることによる性能の低下を生じていた。
【００１０】
（２）バランス修正用ウェイトやパテを取り付ける方法においては、ウェイトを取り付ける設備が必要であったり、パテを乾燥硬化させる工程や時間が必要であったり、剥がれ防止のための接着剤の塗布や硬化のための工程や時間が必要であったり、作業効率が低下するという問題があった。
【００１１】
（３）また、上記修正が１回で終わらない場合は、バランスの測定と修正の作業を繰り返し行う必要があった。
【００１２】
本発明は、上記課題を解決するために、アンバランスの要因であるシャフト外周上の平面部に対し、予めバランス修正を施すものである。
その結果、バランスの測定や修正の作業が不要にすることができ、コストダウンや作業効率の向上を図ることができる。
【課題を解決するための手段】
【００１３】
前記従来の課題を解決するため、本発明の回転子は、シャフトの外周上に回転子アンバランス修正手段を施すことによって、アンバランスの要因であるシャフト外局上の平面部に対し予めアンバランスを修正するものである。
【発明の効果】
【００１４】
以上のように、本発明の回転子によれば、予めアンバランスを修正することによりバランスの測定や修正の作業を不要にすることができ、コストダウンや作業効率の向上を図ることができる。
【発明を実施するための最良の形態】
【００１５】
以下に、本発明の実施例について、図面を参照しながら説明する。
【実施例１】
【００１６】
図１は本発明の実施例１における回転子の斜視図である。
図１において回転子は、ファン１０３を取り付けるためにシャフト４の外局の一部を平面状に切削加工された略平面部１０１と、切削加工により削除された部分と略同質量となるように略軸対称に切削加工を施した回転子アンバランス修正手段１０２を有している。
また、切削加工された平面部１０１のために矢印ａ方向に質量の偏り（以下、アンバランス量）がありアンバランスの要因となっている。
回転子アンバランス修正手段１０２は、これと逆位相の矢印ｂ方向のアンバランス量となるようにシャフト外周上の平面部１０１の略軸対称に切削加工を施されたものである。
【００１７】
なお、本実施例においては、回転子アンバランス修正手段１０２の軸方向の位置を回転子コア３と図示せざる軸受６の間とし、切削加工はシャフト４の単品の状態で行ったが、軸方向の位置は回転子コア３と略平面部１０１の間の任意の場所で良く、また切削加工はシャフト４に回転子コア３や永久磁石５を固着した状態で行っても構わない。
さらに本実施例においては、回転子アンバランス修正手段１０２により回転子のアンバランスについて無修正とすることができたが、静的・動的なバランスを測定した後に切削加工する位置を求めることでより良くアンバランスが修正できることは言うまでもない。
【００１８】
また、ここに図示しないが、回転子アンバランス修正手段１０２は、シャフト４を伝ってモータ内に水が入り込むのを防ぐ水切りゴムの位置決めや回り止め、モータ冷却用の外扇ファンのシャフトヘの取付けねじ止め部、あるいは回転子コア３とシャフト４との固着部の一部または全部と共有して回転子コア３の空転防止または抜け防止対策とすることができることはいうまでもない。
【実施例２】
【００１９】
図２は本発明の実施例２における回転子の斜視図である。
図２において回転子は、図１と同様に切削加工された平面部１０１のために矢印ａ方向に質量の偏り（以下、アンバランス量）がありアンバランスの要因となっている。
本実施例の回転子は、切削加工により削除された部分と略同質量のＥリング１０４を有しており、平面部１０１のアンバランス量と逆位相の矢印ｂ方向のアンバランス量となるように取り付けたものである。
なお、本実施例においては、Ｅリング１０４を軸受６の位置決めと共用しているが、軸受６の位置決めとは別に単独で使用しても良く、また複数個取り付けることができることはいうまでもない。
【００２０】
また、Ｅリング１０４の軸方向の位置を回転子コア３と図示せざる軸受６の間としたが、軸方向の位置は回転子コア３と平面部１０１の間の任意の場所で構わない。
また、Ｅリング１０４と同様の機能をもつ回転子アンバランス修正片であれば、その形状については特に指定するものではない。
【００２１】
さらに本実施例においては、Ｅリング１０４により回転子のアンバランスについて無修正とすることができたが、静的・動的なバランスを測定した後に取り付ける位置を求めることでより良くアンバランスが修正できることは言うまでもない。
【産業上の利用可能性】
【００２２】
本発明にかかる回転子及びブラシレスモークは、予めバランス修正を施すことによりバランスの測定や修正の作業を不要とすることができ、コストダウンや作業効率の向上を図ることができるので、低騒音・低振動が強く求められる機器の送風用ファンに用いられるブラシレスモータに有用である。
【図面の簡単な説明】
【００２３】
【図１】本発明の実施例１における回転子の斜視図
【図２】本発明の実施例２における回転子の斜視図
【図３】従来のブラシレスモータの構造断面図
【図４】従来の回転子の略断面図
【符号の説明】
【００２４】
１  固定子鉄心
２  駆動回路
３  回転子コア
３ｂ  バランス修正用パテ
４  シャフト
５  永久磁石
６  軸受
１０１  略平面部
１０２  回転子アンバランス修正手段
１０３  ファン
１０４  Ｅリング
【図１】
2006271107.tif 000003
【図２】
2006271107.tif 000004
【図３】
2006271107.tif 000005
【図４】
2006271107.tif 000006